(57)【特許請求の範囲】
【請求項１】
前面開口を介して相手コネクタが嵌合するフード部及び該フード部の後方奥位置に配置形成される底壁を有するアウターハウジングと、
端子収容室を有し且つ前記フード部内に挿入されると前記アウターハウジングに係止されるインナーハウジングと、
前記端子収容室に収容される端子金具及び該端子金具が接続される電線端末からなる電線付き端子と、
前記底壁及び前記インナーハウジングの間に配置されてこれら及び前記電線付き端子をそれぞれ水密にシールする厚肉板状のパッキンマットシールと、
を備える防水コネクタにおいて、
前記前面開口の方向に向けて突出するアーム部、該アーム部の突出先端側に配置されて前記インナーハウジングを係止する係止凸部、及び前記アーム部の基部に連続するマットシール埋設部を有する係止突起を前記底壁に一体に形成し、
さらには、前記マットシール埋設部の外周面に密着するように前記パッキンマットシールを前記底壁に一体に成形してなり、
前記アウターハウジングの相対向する一対の側壁内面近傍に前記係止突起をそれぞれ配置形成し、
前記一対の側壁には、前記係止凸部を外向きに形成するための型抜き部分になる側壁開口部をそれぞれ形成し、
該側壁開口部の一つを、当該コネクタに更に備えられ且つ前記端子収容室を横切るように前記インナーハウジングに挿入されるスペーサの組み付け部分としても形成する
ことを特徴とする防水コネクタ。
【発明の詳細な説明】
【技術分野】
【０００１】
本発明は、アウターハウジングとインナーハウジングと電線付き端子とパッキンマットシールとを備える防水コネクタに関する。
【背景技術】
【０００２】
下記特許文献１には、従来の防水コネクタに関する技術が開示される。図１０ないし図１２において、防水コネクタ１０１は、樹脂製のアウターハウジング１０２と、樹脂製のインナーハウジング１０３と、図示しない電線付き端子と、シリコーンゴム製のパッキンマットシール１０４とを備えて構成される。
【０００３】
アウターハウジング１０２は、前面開口を介して図示しない相手コネクタが嵌合するフード部１０５と、このフード部１０５の後方奥位置に配置形成される底壁１０６とを有する。インナーハウジング１０３は、この内部に図示しない電線付き端子の端子金具が収容される端子収容室が形成される。インナーハウジング１０３の後壁１０７には、アウターハウジング１０２の底壁１０６に引っ掛かり係止される係止突起１０８が形成される。パッキンマットシール１０４は、厚肉板状に形成されて、アウターハウジング１０２の底壁１０６に設けられる。パッキンマットシール１０４は、底壁１０６とインナーハウジング１０３の後壁１０７とで挟み込まれる。パッキンマットシール１０４には、端子収容室に収容される端子金具に接続された電線に密着する止水保証構造部１０９（シールリップなど）が形成される。また、パッキンマットシール１０４には、インナーハウジング３の係止突起１０８に対する止水保証構造１１０も形成される。
【０００４】
上記構成及び構造において、アウターハウジング１０２の底壁１０６にパッキンマットシール１０４を設け、この後に、アウターハウジング１０２のフード部１０５にインナーハウジング１０３を挿入すると、インナーハウジング１０３の係止突起１０８がパッキンマットシール１０４の止水保証構造１１０に差し込まれる。そして、係止突起１０８が止水保証構造１１０を貫通してアウターハウジング１０２の底壁に１０６に引っ掛かると、アウターハウジング１０２とインナーハウジング１０３との一体化が完了する。
【先行技術文献】
【特許文献】
【０００５】
【特許文献１】特開２０１２−６９４７１号公報
【発明の概要】
【発明が解決しようとする課題】
【０００６】
上記従来技術にあっては、図示しない電線付き端子に対する止水保証構造部１０９の他に、インナーハウジング１０３の係止突起１０８に対する止水保証構造部１１０も必要になることから、止水保証をすべき箇所が多いという問題点を有する。
【０００７】
本発明は、上記した事情に鑑みてなされたもので、止水保証箇所を減らすことが可能な防水コネクタを提供することを課題とする。
【課題を解決するための手段】
【０００８】
上記課題を解決するためになされた請求項１に記載の本発明の防水コネクタは、前面開口を介して相手コネクタが嵌合するフード部及び該フード部の後方奥位置に配置形成される底壁を有するアウターハウジングと、端子収容室を有し且つ前記フード部内に挿入されると前記アウターハウジングに係止されるインナーハウジングと、前記端子収容室に収容される端子金具及び該端子金具が接続される電線端末からなる電線付き端子と、前記底壁及び前記インナーハウジングの間に配置されてこれら及び前記電線付き端子をそれぞれ水密にシールする厚肉板状のパッキンマットシールと、を備える防水コネクタにおいて、前記前面開口の方向に向けて突出するアーム部、該アーム部の突出先端側に配置されて前記インナーハウジングを係止する係止凸部、及び前記アーム部の基部に連続するマットシール埋設部を有する係止突起を前記底壁に一体に形成し、さらには、前記マットシール埋設部の外周面に密着するように前記パッキンマットシールを前記底壁に一体に成形してなり、前記アウターハウジングの相対向する一対の側壁内面近傍に前記係止突起をそれぞれ配置形成し、前記一対の側壁には、前記係止凸部を外向きに形成するための型抜き部分になる側壁開口部をそれぞれ形成し、該側壁開口部の一つを、当該コネクタに更に備えられ且つ前記端子収容室を横切るように前記インナーハウジングに挿入されるスペーサの組み付け部分としても形成することを特徴とする。
【０００９】
このような特徴を有する本発明によれば、アウターハウジングは、インナーハウジングとの係止部分になる係止突起を底壁に一体に形成することによりなる。また、パッキンマットシールは、係止突起が突出するアウターハウジングの底壁に一体に成形されることによりなる。パッキンマットシールが底壁に一体成形されると、係止突起はこのマットシール埋設部の外周面にパッキンマットシールが密着するような状態になる。すなわち、止水された状態になる。本発明は、パッキンマットシールに係止突起を差し込んで貫通させるような従来の止水保証構造を採用するものではない。
【００１１】
また、本発明によれば、インナーハウジングの端子収容室に電線付き端子の端子金具を収容した後に、アウターハウジングの側壁開口部を介してスペーサが挿入されると、端子金具は二重に係止される。尚、本発明において、相手コネクタに対する止水は、パッキンマットシールの側部外周面に従来同様のシールリップを形成すればよい。このシールリップにて相手コネクタとの止水が可能になる。従って、本発明のように側壁開口部がアウターハウジングに形成されても止水性能に影響することはない。
【発明の効果】
【００１２】
請求項１に記載された本発明によれば、アウターハウジングとインナーハウジングとの係止部分に係る止水保証を削減することができるという効果を奏する。
【００１３】
また、本発明によれば、請求項１の効果に加え次のような効果を更に奏する。すなわち、端子金具の二重係止構造を付加することができるという効果を奏する。
【図面の簡単な説明】
【００１４】
【図１】本発明の防水コネクタと相手コネクタとの嵌合直前の状態を示す斜視図である。
【図２】図１の防水コネクタを正面側から見た斜視図である。
【図３】防水コネクタの正面図である。
【図４】図３のＡ−Ａ線断面図である。
【図５】パッキンマットシールをアウターハウジングに一体成形した状態示す斜視図である。
【図６】図５の状態からアウターハウジングのみを示した斜視図である。
【図７】図５の状態からパッキンマットシールのみを示した斜視図である。
【図８】インナーハウジングの斜視図である。
【図９】電線付き端子の斜視図である。
【図１０】従来例の防水コネクタの分解斜視図である。
【図１１】図１０の防水コネクタの正面図である。
【図１２】図１１のＢ−Ｂ線断面図である。
【発明を実施するための形態】
【００１５】
防水コネクタは、アウターハウジングと、インナーハウジングと、電線付き端子と、パッキンマットシールとを備えて構成され、アウターハウジングの底壁には、インナーハウジングとの係止部分になる係止突起が一体に形成される。また、アウターハウジングの底壁には、係止突起の基端側の外周面に密着するようにパッキンマットシールが一体に成形される。パッキンマットシールの一体成形により、係止突起の基端側の外周面とパッキンマットシールとが水密になる。
【実施例】
【００１６】
以下、図面を参照しながら実施例を説明する。図１は本発明の防水コネクタと相手コネクタとの嵌合直前の状態を示す斜視図である。また、図２は図１の防水コネクタを正面側から見た斜視図、図３は防水コネクタの正面図、図４は図３のＡ−Ａ線断面図、図５はパッキンマットシールをアウターハウジングに一体成形した状態示す斜視図、図６は図５の状態からアウターハウジングのみを示した斜視図、図７は図５の状態からパッキンマットシールのみを示した斜視図、図８はインナーハウジングの斜視図、図９は電線付き端子の斜視図である。
【００１７】
図１において、引用符号２１は、本発明に係る防水コネクタを示す。また、引用符号１は、防水コネクタ２１の電気的な接続相手（嵌合相手）になる相手コネクタを示す。防水コネクタ２１と相手コネクタ１は、ここでは多極コネクタであるものとして示すことにする。尚、実際には、防水コネクタ２１と相手コネクタ１とから多数の電線が引き出されるようになるが、便宜上、電線の図示は省略する。
【００１８】
先ず、相手コネクタ１の方から説明をする。
【００１９】
相手コネクタ１は、公知のものであって、コネクタハウジング２と、このコネクタハウジング２に収容される多数の雄端子金具３とを備えて構成される。コネクタハウジング２は、フード部４と、底壁５と、フランジ部６とが一体化した図示形状に形成される。フード部４は、前面が開口するように形成される。フード部４の後方奥位置には、底壁５が配置形成される。フード部４の外周面には、レバー嵌合部が形成される（符号省略。本発明に係る防水コネクタ２１の後述する図示しないレバーが嵌合する部分である）。雄端子金具３は、底壁５から突出するピン状の電気接触部と、この電気接触部に連続して電線端末に接続される電線接続部とを有する。
【００２０】
次に、本発明に係る防水コネクタ２１について説明をする。図中の矢印は、上下方向、左右方向、前後方向をそれぞれ示す（方向は一例である）。
【００２１】
図１ないし図４において、防水コネクタ２１は、アウターハウジング２２と、パッキンマットシール２３と、インナーハウジング２４と、多数の電線付き端子２５（図９参照）と、図示しないレバーと、図示しないスペーサとを備えて構成される。
【００２２】
防水コネクタ２１は、上記の如く多極コネクタであることから、図示しないレバーを備えれば、このレバーの作用によって低挿抜をすることができる。本実施例の防水コネクタ２１は、ＬＩＦ機構を有するコネクタである。また、防水コネクタ２１は、図示しないスペーサの作用によって後述する雌端子金具６１を二重に係止することができる。従って、本実施例の防水コネクタ２１は、端子二重係止構造を有するコネクタでもある。
【００２３】
防水コネクタ２１は、以下で詳細に説明をするが、アウターハウジング２２に対しパッキンマットシール２３が一体に成形されるような構造を有する。また、このパッキンマットシール２３が一体成形されたアウターハウジング２２に対しては、インナーハウジング２４がシールされつつ係止されるような構造を有する。
【００２４】
図１ないし図６において、アウターハウジング２２は、絶縁性を有する樹脂成形品であって、フード部２６と、一対のレバー組み付け部２７と、底壁２８とを有して図示形状に形成される。アウターハウジング２２は、所謂コネクタハウジングである。また、底壁２８は、後述するが、所謂後壁である。
【００２５】
フード部２６は、上壁２９、下壁３０、左壁３１、及び右壁３２を有する矩形の略筒形状の部分に形成される。フード部２６は、前面開口３３を介して相手コネクタ１のフード部４が差し込まれて嵌合するような部分として形成される。上壁２９及び下壁３０の内側には、レバー組み付け部２７がそれぞれ連成される。レバー組み付け部２７は、図示しないレバーを組み付ける部分として形成される。また、レバー組み付け部２７は、上記ＬＩＦ機構を構成する部分として形成される。レバー組み付け部２７は、左壁３１及び右壁３２に一対のスリット３４がそれぞれ生じるような部分にも形成される。
【００２６】
左壁３１には、一対の側壁開口部３５が形成される。この一対の側壁開口部３５は、左壁３１を矩形で貫通するように形成される。また、一対の側壁開口部３５は、後述する左側の係止突起３８の係止凸部４２の位置に合わせて形成される。一対の側壁開口部３５は、本実施例において、係止凸部４２を外向きに形成するための型抜き部分として形成される。
【００２７】
右壁３２には、上記スリット３４の他に、側壁開口部３６が形成される。この側壁開口部３６は、右壁３２を大きな矩形で貫通するように形成される。また、側壁開口部３６は、後述する右側の係止突起３９の係止凸部４６の位置に合わせて形成される。側壁開口部３６は、本実施例において、係止凸部４６を外向きに形成するための型抜き部分として形成される。この他、側壁開口部３６は、フード部２６の前面開口３３の位置まで切り欠かれるように形成される。前面開口３３の位置まで切り欠かれることにより、側壁開口部３６は、図示しないスペーサの組み付け部分としても形成される。側壁開口部３６が形成されることにより、スペーサをインナーハウジング２４に挿入する部分を確保することができる。別な言い方をすれば、アウターハウジング２２にインナーハウジング２４を収容・係止した後であっても、側壁開口部３６を介してスペーサの組み付けをすることができる。
【００２８】
底壁２８は、アウターハウジング２２の後部に配置される。すなわち、底壁２８は所謂後壁であって、この底壁２８には、前後方向に貫通するように多数の電線引出部３７が形成される。このような底壁２８の内面は、パッキンマットシール２３が一体化する面として形成される。また、底壁２８の内面には、左側の係止突起３８と、右側の係止突起３９とが一体に形成される。左側の係止突起３８と、右側の係止突起３９は、それぞれパッキンマットシール２３を貫通してインナーハウジング２４を係止することができるように形成される。左側の係止突起３８は、左壁３１の内面近傍に配置形成される。右側の係止突起３９は、右壁３２の内面近傍に配置形成される。左側の係止突起３８と、右側の係止突起３９は、フード部２６の前面開口３３に向けて（前方に向けて）突出するように形成される。
【００２９】
左側の係止突起３８は、底壁２８の内面に一体化するマットシール埋設部４０と、このマットシール埋設部４０から突出する一対のアーム部４１と、アーム部４１の突出先端側に配置される係止凸部４２とを有して図示形状に形成される。マットシール埋設部４０は、矩形ブロック形状の部分であって、底壁２８にパッキンマットシール２３が一体化すると、外周面にパッキンマットシール２３が密着するように形成される。尚、マットシール埋設部４０における引用符号４３は、樹脂成形を安定させるための肉盗み部分を示す（図４参照）。
【００３０】
一対のアーム部４１は、可撓性を有する片持ち板状の部分に形成される。一対のアーム部４１は、所定の間隔をあけて並んで配置される。係止凸部４２は、インナーハウジング２４の左側を係止する断面略三角形の突出部分として形成される。係止凸部４２は、外向きに突出するように形成される。
【００３１】
右側の係止突起３９は、底壁２８の内面に一体化するマットシール埋設部４４と、このマットシール埋設部４４から突出するアーム部４５と、アーム部４５の突出先端側に配置される係止凸部４６とを有して図示形状に形成される。マットシール埋設部４４は、矩形ブロック形状の部分であって、底壁２８にパッキンマットシール２３が一体化すると、外周面にパッキンマットシール２３が密着するように形成される。マットシール埋設部４４にも肉盗み部分４７（図４参照）が形成される。
【００３２】
アーム部４５は、可撓性を有する片持ち板状の部分に形成される。アーム部４５は、左側の係止突起３８における一対のアーム部４１よりも幅広に形成される。係止凸部４６は、インナーハウジング２４の右側を係止する断面略三角形の突出部分として形成される。係止凸部４６は、外向きに突出するように形成される。
【００３３】
図４、図５、及び図７において、パッキンマットシール２３は、上記の如くアウターハウジング２２の底壁２８に一体に成形されるシール部材であって、厚肉板状に形成される。パッキンマットシール２３の材質は、特に限定するものでないが、公知のシリコーンゴムなどが挙げられる（アウターハウジング２２に対して接着性があり、図示しない成形金型に対しては接着性を持たない材質が好ましい）。尚、図７はパッキンマットシール２３の図であるが、実際には図５に示すような一体化した状態で使用され、ここでは単独の部品でないものとする。
【００３４】
パッキンマットシール２３には、多数の挿通孔４８と、一対の係止突起密着部４９とが形成される。挿通孔４８は、アウターハウジング２２における底壁２８の電線引出部３７に挿通された電線６２（後述する）が貫通する部分として形成される。このような挿通孔４８の内面には、内周リップ（環状のシールリップ）が形成される。内周リップは、パッキンマットシール２３の弾力性によって電線６２の外面に対し水密に密着する部分である。従って、この部分での止水保証がされるのは勿論である。
【００３５】
一対の係止突起密着部４９は、アウターハウジング２２における左側の係止突起３８のマットシール埋設部４０に密着する部分、また、右側の係止突起３９のマットシール埋設部４４に密着する部分であって、パッキンマットシール２３の成形により生じる。一対の係止突起密着部４９は、成形によりマットシール埋設部４０、４４に密着することから、差し込みによる止水保証構造部ではないことが分かる。
【００３６】
パッキンマットシール２３の側部外周面には、シールリップ５０が形成される。このシールリップ５０は、外周シール（環状のシールリップ）として形成される。相手コネクタ１におけるフード部４の前端部分内面がシールリップ５０に密着すると、この部分における止水が完了する。
【００３７】
図２、図３、図４、及び図８において、インナーハウジング２４は、絶縁性を有する樹脂成形品であって、上壁５１、下壁５２、左壁５３、右壁５４、前壁５５、及び後壁５６を有する矩形の略箱形状の部分に形成される。インナーハウジング２４には、端子収容室５７が多数形成される。また、インナーハウジング２４には、一対の被係止部５８と、スペーサ組み付け部５９とが形成される。尚、端子収容室５７に関しては公知の構造を採用するものとして、ここでの説明は省略する。インナーハウジング２４は、所謂コネクタハウジングである。
【００３８】
一対の被係止部５８は、ここにアウターハウジング２２の左側の係止突起３８及び右側の係止突起３９がそれぞれ引っ掛かって、これによりインナーハウジング２４が係止されるような部分として形成される。もう少し具体的に説明すると、一対の被係止部５８は、後壁５６の側から左側の係止突起３８（一対のアーム部４１）及び右側の係止突起３９（アーム部４５）が差し込まれるような形状に形成される。また、一対の被係止部５８は、左壁５３及び右壁５４の側から見るとブリッジ状になるような形状に形成される。このブリッジ状になる形状の部分は、一対の係止凸部４２及び係止凸部４６の引っ掛かり部分として形成される。
【００３９】
一対の被係止部５８は、この部分でアウターハウジング２２とインナーハウジング２４との係止が行われると、後壁５６がパッキンマットシール２３に密着するような位置関係で形成される。
【００４０】
スペーサ組み付け部５９は、図示しないスペーサを組み付ける部分として形成される。スペーサ組み付け部５９は、右壁５４からスペーサの挿入を開始して、端子収容室５７を横切り、最終的にはスペーサの挿入先端が左壁５３から突出するような組み付けをすることができる部分として形成される。本実施例においては、スペーサの図示は省略するが、公知のものと同様の機能を発揮できる形状にスペーサが形成されるものとする。尚、右壁５４のスペーサ組み付け部５９における引用符号６０は、スペーサに対する係止部を示す。
【００４１】
スペーサ組み付け部５９は、アウターハウジング２２にインナーハウジング２４を収容・係止した状態において、右壁３２の側壁開口部３６から臨むことができる位置に配置形成される。
【００４２】
図９において、電線付き端子２５は、インナーハウジング２４の端子収容室５７（図４参照）に収容される雌端子金具６１（端子金具）と、この雌端子金具６１が接続される電線６２の端末とから構成される。雌端子金具６１は、導電性を有する金属板を加工することにより図示形状に形成される。雌端子金具６１は、雄端子金具３のピン状の電気接触部が差し込まれる雌側の電気接触部６３と、この電気接触部６３に連続する電線接続部６４とを有する。
【００４３】
続いて、上記構成及び構造に基づきながら本発明に係る防水コネクタ２１の組み立てについて説明をする。
【００４４】
図６において、図示しない成形金型を用いて樹脂成形を行い、これによりアウターハウジング２２を形成する。アウターハウジング２２の形成後は、このアウターハウジング２２の内部形状を形作る金型を交換して、次にアウターハウジング２２の底壁２８にパッキンマットシール２３を一体に成形する（図５参照）。パッキンマットシール２３を一体に成形すると、このパッキンマットシール２３からアウターハウジング２２の左側の係止突起３８及び右側の係止突起３９がそれぞれ突出する。
【００４５】
アウターハウジング２２に対し、予め別工程で樹脂成形をしておいたインナーハウジング２４を挿入すると、アウターハウジング２２の左側の係止突起３８及び右側の係止突起３９がそれぞれインナーハウジング２４の一対の被係止部５８に差し込まれ、この後に一対の被係止部５８のブリッジ状の形状部分に、左側の係止突起３８における一対の係止凸部４２及び右側の係止突起３９における係止凸部４６がそれぞれ引っ掛かると、インナーハウジング２４はアウターハウジング２２に対して係止される。
【００４６】
上記構成及び構造から分かるように、アウターハウジング２２とインナーハウジング２４との係止部分として用いられる左側の係止突起３８及び右側の係止突起３９は止水されることから、パッキンマットシール２３の挿通孔４８のような電線６２に対する止水保証をすべき箇所ではない。従って、本発明によれば、従来例と比べて止水保証の箇所を削減することができるという効果を奏する。
【００４７】
本発明は本発明の主旨を変えない範囲で種々変更実施可能なことは勿論である。
【符号の説明】
【００４８】
１…相手コネクタ、  ２…コネクタハウジング、  ３…雄端子金具、  ４…フード部、  ５…底壁、  ６…フランジ部、  ２１…防水コネクタ、  ２２…アウターハウジング、  ２３…パッキンマットシール、  ２４…インナーハウジング、  ２５…電線付き端子、  ２６…フード部、  ２７…レバー組み付け部、  ２８…底壁、  ２９…上壁、  ３０…下壁、  ３１…左壁、  ３２…右壁、  ３３…前面開口、  ３４…スリット、  ３５…側壁開口部、  ３６…側壁開口部（スペーサ組み付け部分）、  ３７…電線引出部、  ３８…左側の係止突起（係止突起）、  ３９…右側の係止突起（係止突起）、  ４０、４４…マットシール埋設部、  ４１、４５…アーム部、  ４２、４６…係止凸部、  ４３、４７…肉盗み部分、  ４８…挿通孔、  ４９…係止突起密着部、  ５０…シールリップ、  ５１…上壁、  ５２…下壁、  ５３…左壁、  ５４…右壁、  ５５…前壁、  ５６…後壁、  ５７…端子収容室、  ５８…被係止部、  ５９…スペーサ組み付け部、  ６０…係止部、  ６１…雌端子金具（端子金具）、  ６２…電線、  ６３…電気接触部、  ６４…電線接続部
【図１】
0006423191.tif 000002
【図２】
0006423191.tif 000003
【図３】
0006423191.tif 000004
【図４】
0006423191.tif 000005
【図５】
0006423191.tif 000006
【図６】
0006423191.tif 000007
【図７】
0006423191.tif 000008
【図８】
0006423191.tif 000009
【図９】
0006423191.tif 000010
【図１０】
0006423191.tif 000011
【図１１】
0006423191.tif 000012
【図１２】
0006423191.tif 000013